(57)【特許請求の範囲】
【請求項１】
中央の吐水管取付け位置に湯水混合流路に連通する連通穴が形成された第１ねじ部を有する一方、その左右の、弁機構を含む湯ハンドルおよび水ハンドル取付け位置に、湯配管に連通する連通穴が形成された第２ねじ部、水配管に連通する連通穴が形成された第３ねじ部をそれぞれ有するツーバルブ混合栓の混合栓本体を残したまま、この混合栓本体から前記吐水管と前記弁機構を含む湯ハンドルおよび水ハンドルとを取り外し、湯供給穴と水供給穴を備えるとともに前記湯供給穴の入口および前記水供給穴の入口にそれぞれ雌ねじが形成された状態で下流の弁機構に至る胴部を有するシングルレバー混合栓を前記胴部を介して前記第１ねじ部に上方から嵌め込む一方、湯連通機構によって、前記胴部の前記湯供給穴と前記第２ねじ部の前記連通穴を連通させるとともに、水連通機構によって、前記胴部の前記水供給穴と前記第３ねじ部の前記連通穴を連通させ、前記ツーバルブ混合栓の混合栓本体が設置されている台所等の面板上に、少なくとも当該混合栓本体と前記湯連通機構と前記水連通機構とを覆う化粧カバーを設けて前記ツーバルブ混合栓からシングルレバー混合栓へ取替えるための混合栓取替構造であって、
前記湯連通機構および前記水連通機構のいずれも、上流側から順に設けた栓棒付エルボと、アジャスターとを有するとともに、前記第１ねじ部および第２ねじ部間ならびに前記第１ねじ部および第３ねじ部間の各ピッチに適合するよう前記胴部の前記湯供給穴と前記第２ねじ部の前記連通穴間ならびに前記胴部の前記水供給穴と前記第３ねじ部の前記連通穴間の長さが調整可能な連接管を有し、この連接管は長手方向に沿う中央貫通孔を有し、また、この連接管の下流端の外周には前記湯供給穴および水供給穴の各入口に形成された前記雌ねじと螺合する雄ねじが形成され、かつ、この雄ねじの直上流側にはＯリングが位置しており、
また、前記アジャスターは、連接管の中央貫通孔に連通するよう長手方向に沿う中央貫通孔を有し、長手方向の中央位置に長手方向まわりに回動操作される環状つまみを有し、この環状つまみの直上流側に環状溝を有し、環状つまみの下流側にＯリングを介して雄ねじを有し、
前記Ｏリングと雄ねじを含む前記連接管の下流側は、前記アジャスターの前記Ｏリングと雄ねじを含む下流側と同一構成である一方、
前記連接管の上流側にはアジャスターの前記雄ねじに螺合する雌ねじが形成されており、
前記連接管の前記雌ねじを含む上流側は、前記胴部の雌ねじを含む湯供給穴および前記水供給穴の各入口側と同一構成であり、
さらに、前記エルボの下流部には、前記アジャスターを前記エルボの下流部内に嵌め込んだ後、前記環状溝に嵌挿するビス用の孔が設けられており、
前記連接管を胴部に接続し、前記エルボおよび連接管間に前記アジャスターを接続した状態で前記各ピッチに適合する長さに湯連通機構および水連通機構をそれぞれ設定する一方、
前記連接管を用いた場合の前記ピッチよりも短いピッチを有する混合栓本体の場合には、湯連通機構、水連通機構のいずれにおいても前記連接管を不要として前記エルボに接続される前記アジャスターが直接胴部に取り付けられるように構成したことを特徴とする混合栓取替構造。
【請求項２】
前記湯連通機構は、前記第２ねじ部内に、前記湯配管に設けた弁座、または、一端が前記湯配管に接続され他端が前記第２ねじ部の前記連通穴に接続された湯接続部材に設けた弁座に当接した状態で前記湯配管内の湯導出路に連通する中央孔を備えた栓棒を有する一方、前記水連通機構は、前記第３ねじ部内に、前記水配管に設けた弁座、または、一端が前記水配管に接続され他端が前記第３ねじ部の前記連通穴に接続された水接続部材に設けた弁座に当接した状態で前記水配管内の水導出路に連通する中央孔を備えた栓棒を有し、湯側の前記弁座と前記第２ねじ部の上端間および水側の前記弁座と前記第３ねじ部の上端間の高さに適合する高さに前記各栓棒をそれぞれ微調整するための栓棒微調整手段を備えている請求項１に記載の混合栓取替構造。。
【請求項３】
前記胴部の前記湯供給穴と前記第２ねじ部の前記連通穴を連通させるとともに、前記胴部の前記水供給穴と前記第３ねじ部の前記連通穴を連通させるため、前記第２ねじ部および前記第３ねじ部の異なるタイプのねじに対応可能なアダプターを設けるとともに、前記胴部を第１ねじ部に取り付けるため前記第１ねじ部の異なる外径に対応可能なアダプターを設けている請求項１または請求項２に記載の混合栓取替構造。
【発明の詳細な説明】
【０００１】
【発明の属する技術分野】
この発明は、ツーバルブ湯水混合栓の混合栓本体を残したまま、ツーバルブ付湯水混合栓からシングルレバー湯水混合栓へ取替えるための混合栓取替構造に関する。
【０００２】
【従来の技術および発明が解決しようとする課題】
一般に、台所等の面板上に設置される混合栓本体を備えた、いわゆる、台付タイプのツーバルブ湯水混合栓として、混合栓本体長手方向の長さが異なる大小２つのものがある。すなわち、混合栓本体には、その中央に吐水管取付け用の第１ねじ部が設けられ、その左右にそれぞれ湯ハンドル取付け用の第２ねじ部および水ハンドル取付け用の第３ねじ部が設けられているが、第２ねじ部および第３ねじ部間のピッチが異なる大小２つの混合栓本体が使用されている。
【０００３】
ところで、前記混合栓本体を取り外すことなく面板上に残したまま、この混合栓本体から、吐水管と、弁機構を含む前記湯ハンドルおよび水ハンドルとを取り外し、湯連通機構によって、シングルレバー混合栓の胴部の湯供給穴と前記第２ねじ部の連通穴を連通させるとともに、水連通機構によって、前記胴部の水供給穴と前記第３ねじ部の連通穴を連通させ、前記ツーバルブ混合栓からシングルレバー混合栓へ取替える混合栓取替構造が提案されているけれども、この混合栓取替構造では、以下の３つの問題点があった。
【０００４】
（１）前記混合栓取替構造は、前記大きなピッチを有するタイプの混合栓本体にしか適用できず、前記小さなピッチを有するタイプの混合栓本体には適用できなかった。
【０００５】
（２）前記大きなピッチのタイプを有する混合栓本体でも、前記湯連通機構を例にとれば、湯配管に連通する前記第２ねじ部の前記連通穴に設けた弁座（シート部）と、前記第２ねじ部の上端との間の高さ（シート部の高さ）が異なるものがあり、前記混合栓取替構造は、前記シート部の高さを調節する機構を有しないから、異なる高さのシート部を有する混合栓本体には適用できなかった。
【０００６】
（３）前記大きなピッチのタイプを有する混合栓本体でも、前記第２ねじ部および前記第３ねじ部が雄ねじタイプのものと雌ねじタイプのものがあるにもかかわらず、前記混合栓取替構造は、雄ねじタイプのものにしか適用できなかった。
【０００７】
この発明は上述の事柄に留意してなされたもので、その目的は、第２，３ねじ部間のピッチが異なる大小２つの混合栓本体のいずれにも適用可能で、かつ、第２，３ねじ部におけるシート部の高さ調節を行え、更に、雌ねじタイプの第２，３ねじ部にも適用可能な混合栓取替構造を提供することである。
【０００８】
【課題を解決するための手段】
上記目的を達成するために、本願の請求項１にかかる発明は、中央の吐水管取付け位置に湯水混合流路に連通する連通穴が形成された第１ねじ部を有する一方、その左右の、弁機構を含む湯ハンドルおよび水ハンドル取付け位置に、湯配管に連通する連通穴が形成された第２ねじ部、水配管に連通する連通穴が形成された第３ねじ部をそれぞれ有するツーバルブ混合栓の混合栓本体を残したまま、この混合栓本体から前記吐水管と前記弁機構を含む湯ハンドルおよび水ハンドルとを取り外し、湯供給穴と水供給穴を備えるとともに前記湯供給穴の入口および前記水供給穴の入口にそれぞれ雌ねじが形成された状態で下流の弁機構に至る胴部を有するシングルレバー混合栓を前記胴部を介して前記第１ねじ部に上方から嵌め込む一方、湯連通機構によって、前記胴部の前記湯供給穴と前記第２ねじ部の前記連通穴を連通させるとともに、水連通機構によって、前記胴部の前記水供給穴と前記第３ねじ部の前記連通穴を連通させ、前記ツーバルブ混合栓の混合栓本体が設置されている台所等の面板上に、少なくとも当該混合栓本体と前記湯連通機構と前記水連通機構とを覆う化粧カバーを設けて前記ツーバルブ混合栓からシングルレバー混合栓へ取替えるための混合栓取替構造であって、
前記湯連通機構および前記水連通機構のいずれも、上流側から順に設けた栓棒付エルボと、アジャスターとを有するとともに、前記第１ねじ部および第２ねじ部間ならびに前記第１ねじ部および第３ねじ部間の各ピッチに適合するよう前記胴部の前記湯供給穴と前記第２ねじ部の前記連通穴間ならびに前記胴部の前記水供給穴と前記第３ねじ部の前記連通穴間の長さが調整可能な連接管を有し、この連接管は長手方向に沿う中央貫通孔を有し、また、この連接管の下流端の外周には前記湯供給穴および水供給穴の各入口に形成された前記雌ねじと螺合する雄ねじが形成され、かつ、この雄ねじの直上流側にはＯリングが位置しており、
また、前記アジャスターは、連接管の中央貫通孔に連通するよう長手方向に沿う中央貫通孔を有し、長手方向の中央位置に長手方向まわりに回動操作される環状つまみを有し、この環状つまみの直上流側に環状溝を有し、環状つまみの下流側にＯリングを介して雄ねじを有し、
前記Ｏリングと雄ねじを含む前記連接管の下流側は、前記アジャスターの前記Ｏリングと雄ねじを含む下流側と同一構成である一方、
前記連接管の上流側にはアジャスターの前記雄ねじに螺合する雌ねじが形成されており、
前記連接管の前記雌ねじを含む上流側は、前記胴部の雌ねじを含む湯供給穴および前記水供給穴の各入口側と同一構成であり、
さらに、前記エルボの下流部には、前記アジャスターを前記エルボの下流部内に嵌め込んだ後、前記環状溝に嵌挿するビス用の孔が設けられており、
前記連接管を胴部に接続し、前記エルボおよび連接管間に前記アジャスターを接続した状態で前記各ピッチに適合する長さに湯連通機構および水連通機構をそれぞれ設定する一方、
前記連接管を用いた場合の前記ピッチよりも短いピッチを有する混合栓本体の場合には、湯連通機構、水連通機構のいずれにおいても前記連接管を不要として前記エルボに接続される前記アジャスターが直接胴部に取り付けられるように構成している。
【０００９】
また、本願の請求項２にかかる発明は、前記湯連通機構は、前記第２ねじ部内に、前記湯配管に設けた弁座、または、一端が前記湯配管に接続され他端が前記第２ねじ部の前記連通穴に接続された湯接続部材に設けた弁座に当接した状態で前記湯配管内の湯導出路に連通する中央孔を備えた栓棒を有する一方、前記水連通機構は、前記第３ねじ部内に、前記水配管に設けた弁座、または、一端が前記水配管に接続され他端が前記第３ねじ部の前記連通穴に接続された水接続部材に設けた弁座に当接した状態で前記水配管内の水導出路に連通する中央孔を備えた栓棒を有し、湯側の前記弁座と前記第２ねじ部の上端間および水側の前記弁座と前記第３ねじ部の上端間の高さに適合する高さに前記各栓棒をそれぞれ微調整するための栓棒微調整手段を備えている。
【００１０】
また、本願の請求項３にかかる発明は、前記胴部の前記湯供給穴と前記第２ねじ部の前記連通穴を連通させるとともに、前記胴部の前記水供給穴と前記第３ねじ部の前記連通穴を連通させるため、前記第２ねじ部および前記第３ねじ部の異なるタイプのねじに対応可能なアダプターを設けるとともに、前記胴部を第１ねじ部に取り付けるため前記第１ねじ部の異なる外径に対応可能なアダプターを設けている。
【００１１】
【発明の実施の形態】
以下、この発明の実施の形態について説明する。
図１は、この発明が適用されるツーバルブ混合栓の混合栓本体１００，２００，３００を示しており、具体的には、混合栓本体１００，２００，３００からツーバルブ混合栓で使用していた吐水管と、同じく使用していた吐水管左右に位置する弁機構を含む湯ハンドルおよび水ハンドルとを取り外した状態を示し、更に、図１は、第２ねじ部１２および第３ねじ部１５間のピッチＡが例えば２０３ｍｍ（長い）で、かつ、第１ねじ部（雄ねじ）９の外径Ｑが例えば２６ｍｍ（小径）で、更に、第２ねじ部１２および第３ねじ部１５が雄ねじタイプの混合栓本体（Ｚタイプの混合栓本体という）１００と、前記ピッチＡは前記混合栓本体と同じ２０３ｍｍで、第１ねじ部（雄ねじ）１９ａの外径Ｐが前記第１ねじ部（雄ねじ）９の外径Ｑよりも大きな例えば３０ｍｍ（大径）で、第２ねじ部１２ａおよび第３ねじ部１５ａが雌ねじタイプの混合栓本体（Ｘタイプの混合栓本体という）２００と、第２ねじ部１２ｂおよび第３ねじ部１５ｂ間のピッチＢが前記ピッチＡよりも短い例えば１０２ｍｍ（短い）で、かつ、第１ねじ部（雄ねじ）９の外径Ｑは前記Ｚタイプの混合栓本体１００の場合と同じ例えば２６ｍｍ（小径）で、更に、第２ねじ部１２ｂおよび第３ねじ部１５ｂが雄ねじタイプの混合栓本体（Ｃタイプの混合栓本体という）３００にそれぞれ、シングルレバー混合栓Ｖを取り付けるときの手順を示している。
【００１２】
図２は、前記Ｚ，Ｘタイプの混合栓本体１００，２００に適用可能な湯連通機構３１と、前記Ｃタイプの混合栓本体３００に適用可能な水連通機構６０を示す。
【００１３】
図３は、異なる前記外径ＱおよびＰのそれぞれの第１ねじ部（雄ねじ）９および１９ａに胴部１を介してシングルレバー混合栓Ｖを上方から嵌め込むときの手順を示す。
【００１４】
図４は、例えば、湯連通機構３１をＺタイプの混合栓本体１００とＸタイプの混合栓本体２００に採用した場合を示す。
【００１５】
また、図５、図６は、Ｚタイプの混合栓本体１００にシングルレバー混合栓Ｖを取り付けるときの手順を示している。
【００１６】
更に、図７〜図９は、化粧カバー６１を示している。
【００１７】
以下、図１〜図４をも参照しながら、Ｚタイプの混合栓本体１００を用いた場合のこの発明の第１の実施形態について説明する。
【００１８】
図５、図６および図１〜図４において、１は、シングルレバー混合栓Ｖの胴部（混合栓本体）で、湯供給路２ａを形成する湯供給用貫通穴（湯供給穴）２と水供給路３ａを形成する水供給用貫通穴（水供給穴）３を有しており、これら供給路２ａ，３ａの下流には弁機構４が設けられている。この弁機構４は、操作ハンドル５を上下方向に操作することによって吐水・止水するよう機能するとともに、操作ハンドル５を左右方向に操作することによって所望の温度の湯水混合水が吐水管６から吐出するよう機能する。
【００１９】
前記Ｚタイプの混合栓本体１００は、ツーバルブ混合栓の混合栓本体であって、この混合栓本体１００は、中央の吐水管取付け位置に雄ねじｓを備えた第１ねじ部９と、この第１ねじ部９の一方側（ツーバルブ混合栓の弁機構を含む湯ハンドル取付け位置）に雄ねじｍを備えた第２ねじ部１２と、第１ねじ部９の他方側（ツーバルブ混合栓の弁機構を含む水ハンドル取付け位置）に雄ねじｑを備えた第３ねじ部１５とを有する。
【００２０】
更に、前記第１ねじ部９には、ツーバルブ混合栓の湯水混合流路７に連通する連通穴８が形成されている。
【００２１】
また、前記第２ねじ部１２にも連通穴１１が形成されており、この連通穴１１は、雄ねじｅを備えた湯接続部材１０（図５参照）に連通している。すなわち、連通穴１１の下部には雌ねじｒ（図４参照）が形成されており、前記雄ねじｅとの螺合により湯接続部材１０の上端が混合栓本体１００に接続される。一方、湯接続部材１０の下端は、湯配管（図示せず）に接続されている。図４において、３０ａ，３０ｂは、湯接続部材１０の上端面に形成された弁座である。つまり、、弁座３０ａ，３０ｂと第２ねじ部１２の上端面ｇ間の高さはメーカーによって異なり、例えば、弁座３０ａ，３０ｂ間の高さの差ｄは３ｍｍである。
【００２２】
２０は、第１ねじ部９を閉塞するよう、シングルレバー混合栓Ｖを第１ねじ部９に取り付けるために用いられる取付ナットである。この取付ナット２０は、平面視略円形で、シングルレバー混合栓Ｖの胴部１の下面ｗに形成された嵌合穴２１に嵌込まれる。２１ａ，２１ａは、取付ナット２０の周面に形成された一対の平坦面で、平坦面２１ａ，２１ａ間の長さＮは例えば３２ｍｍである。また、取付ナット２０の外径は３４ｍｍで、取付ナット２０の内径は３０ｍｍである。また、２０ａは取付ナット２０の雌ねじ（図３参照）である。
【００２３】
ところで、Ｚタイプの混合栓本体１００では、第１ねじ部９の外径Ｑが上述したように例えば２６ｍｍと小径であるので、シングルレバー混合栓Ｖを第１ねじ部９に取り付けるために第１ねじ部９の雄ねじｓに螺合する雌ねじ２２を有するアダプターが必要である。２３はそのアダプターである。そして、このアダプター２３の雄ねじ２４が取付ナット２０の雌ねじ２０ａに螺合するとともに、雄ねじ２４直下に環状のフランジＦを有する。ｆ，ｆは、フランジＦの周面に形成された一対の平坦面である。
【００２４】
なお、アダプター２３の外径Ｍは３０ｍｍ、内径Ｌは２６ｍｍである。
【００２５】
図４において、３１は湯連通機構で、シングルレバー混合栓Ｖの胴部１の湯供給穴２と第２ねじ部１２の連通穴１１を連通させる。この湯連通機構３１は、上流側からこの順で設けた栓棒２９付エルボ３３と、アジャスター３４と、連接管３５とから主としてなる。更に、エルボ３３の上流部には袋ナット９３が割りリング３２を介して回転自在に装着されている。前記連接管３５は、第１ねじ部９および第２ねじ部１２間のピッチ（Ａ／２）に適合するよう前記胴部１の前記湯供給穴２と前記第２ねじ部１２の前記連通穴１１間の長さを調整するためのものである。なお、袋ナット９３の雌ねじｙ（図４参照）は第２ねじ部１２の雄ねじｍに螺合する。
【００２６】
栓棒２９は、前記弁座３０ａ，３０ｂに当接する環状パッキン（弁体）４０を中央孔４２の入口４４に有し、両矢印Ｚで示す高さ方向における中間位置に形成された雄ねじｈが、エルボ３３の入口に形成された雌ねじｉに螺合しながらＺ方向に上下移動できるようになっている。４１は、六角棒スパナ（図示せず）の六角ナット部分が嵌合する六角溝で、六角棒スパナによって栓棒２９を両矢印Ｘで示す方向に回動させることで栓棒２９をＺ方向に微調節できる。４５は中央孔４２の出口である。そして、前記雄ねじｈ、雌ねじｉ、六角溝４１および前記六角棒スパナによって栓棒微調整手段が構成される。
【００２７】
また、前記アジャスター３４は、両矢印Ｕで示す長手方向に沿う中央貫通孔４７を有し、長手方向の中央位置に両矢印Ｋで示す方向に回動操作される環状つまみ４８を有し、この環状つまみ４８の直上流側に環状溝４９を有し、環状つまみ４８の下流側にＯリング５０を介して雄ねじ５１を有する。そして、エルボ３３の下流部３３ｂには、ビス５２用の孔５３が設けられており、アジャスター３４を下流部３３ｂ内に嵌め込んだ後、ビス５２を前記環状溝４９に嵌挿する。
【００２８】
一方、前記連接管３５は、両矢印Ｕで示す長手方向に沿う中央貫通孔５５を有し、上流側の大径部内にはアジャスター３４の雄ねじ５１に螺合する雌ねじ５６が形成されている。そして、前記ビス５２、孔５３、環状溝４９、環状つまみ４８、雄ねじ５１、雌ねじ５６によってピッチ微調整手段が構成される。また、連接管３５の下流端の外周にはシングルレバー混合栓Ｖの胴部１に形成された前記湯供給用貫通穴２の入口５７に形成された雌ねじ５８と螺合する雄ねじ５９が形成されており、雄ねじ５９の直上流側にＯリング５０ａが位置している。したがって、連接管３５を胴部１に接続し、エルボ３３および連接管３５間にアジャスター３４を接続した状態では、第１ねじ部９および第２ねじ部１２間のピッチに適合する長さ（Ａ／２）に湯連通機構３１を設定できる。ところで、第２ねじ部１２および第３ねじ部１５間のピッチＡは例えば２０３ｍｍであるが、±２ｍｍ程度の公差があり、そのため湯連通機構３１においても微調整が必要であるが、これは、環状つまみ４８を矢印Ｋで示す方向に回動操作することで行える。
【００２９】
前記Ｏリング５０ａと雄ねじ５９を含む連接管３５の下流側は、前記アジャスター３４のＯリング５０と雄ねじ５１を含む下流側と同一構成であるとともに、連接管３５の雌ねじ５６を含む上流側は、胴部１の雌ねじ５８を含む入口５７側と同一構成である。よって、後述するように、Ｚタイプの混合栓本体１００のピッチＡより短いピッチＢのＣタイプの混合栓本体３００を用いる場合は、連接管３５は不要になるが、前記雄ねじ５１と雌ねじ５８の螺合によりアジャスター３４を入口５７を介して胴部１に接続できる。
【００３０】
なお、以上説明した湯連通機構３１の構成と同様の構成を水連通機構６０は持っている。すなわち、図５において、５７ａは、シングルレバー混合栓Ｖの胴部１に設けた水供給用貫通穴３の入口で、湯供給用貫通穴２の入口５７と同一構成である。また、２９ａは、栓棒２９と同一構成の栓棒である。３３ａは、エルボ３３と同一構成のエルボある。３４ａは、アジャスター３４と同一構成のアジャスターである。３５ａは、連接管３５と同一構成の連接管である。
【００３１】
また、図６〜図９において、化粧カバー６１は、左右に二つ割りに構成されており、一方のカバー体６２に設けた係止爪６３と、他方のカバー体６４に設けた係止溝６５とが係合するとともに、一方のカバー体６２に設けた係止溝６６と、他方のカバー体６４に設けた係止爪６７とが係合する。７１はナットで、化粧カバー６１を押圧してガタツキを防止する。
【００３２】
更に、図５において、７３は止めねじで、７４は胴部１に設けた径方向に貫通したねじ孔７４である。よって、第１ねじ部９にアダプター２３を取り付け、このアダプター２３にシングルレバー混合栓Ｖ用の取付ナット２０を取り付け、この取付ナット２０に上方からシングルレバー混合栓Ｖの胴部１の下面ｗに形成された嵌合穴２１を介してシングルレバー混合栓Ｖを取り付けた後は、前記ねじ孔７４が一方の平坦面２１ａに位置するように構成されており、止めねじ７３をねじ孔７４に螺合して胴部１を第１ねじ部９に確実に固定できる。
【００３３】
以上のことから明らかなように、ツーバルブ湯水混合栓の混合栓本体１００を残したまま、ツーバルブ付湯水混合栓からシングルレバー湯水混合栓Ｖへの取替えは以下の手順で行われる。まず、（１）混合栓本体１００からツーバルブ混合栓で使用していた吐水管と、同じく使用していた吐水管左右に位置する弁機構を含む湯ハンドルおよび水ハンドルとを取り外す。以下、湯側のみについて説明する。続いて、（２）第１ねじ部９にアダプター２３を介して取付ナット２０を取り付け、（３）取付ナット２０上にシングルレバー湯水混合栓Ｖを取り付ける。次に、（４）湯連通機構３１を胴部１の湯供給用貫通穴２の入口５７および第２ねじ部１２間にセットする。すなわち、湯連通機構３１の袋ナット９３を割りリング３２を介して第２ねじ部１２に取り付ける一方、湯連通機構３１の連接管３５を湯供給用貫通穴２の入口５７に取り付ける。この場合、止めねじ７３をねじ孔７４に螺合して胴部１を第１ねじ部９に固定する。続いて、（５）栓棒２９を両矢印Ｘで示す方向に回動させることで環状パッキン（弁体）４０を弁座３０ａ，３０ｂに当接させる。この発明では、栓棒２９をＺ方向に微調節できるので、異なる高さの弁座３０ａ，３０ｂに対応できる。最後に、（６）化粧カバー６１を取り付ける。
【００３４】
次に、Ｘタイプの混合栓本体２００を用いた場合のこの発明の第２の実施形態について説明する。
【００３５】
上記第１の実施形態と異なる点は、図１、図４に示すように、第２ねじ部１２ａおよび第３ねじ部１５ａが雌ねじｊである点と、図１、図３に示すように、第１ねじ部（雄ねじ）１９ａの外径ＰがＺタイプの混合栓本体１００の場合の第１ねじ部（雄ねじ）９の外径Ｑよりも大きい点の二点である。
【００３６】
そのため、図１、図４に示すように、袋ナット９３の雌ねじｙに螺合する雄ねじｔを上部の大径周面部６０に有し、下部の小径周面部６１に前記雌ねじｊに螺合する雄ねじｐを有するアダプター６６が必要となる。
【００３７】
一方、シングルレバー湯水混合栓Ｖを取り付けの際は、図３に示すように、第１ねじ部１９ａに取付ナット２０を取り付けるだけでよい。
【００３８】
次に、Ｃタイプの混合栓本体３００を用いた場合のこの発明の第３の実施形態について説明する。
【００３９】
上記第１の実施形態と異なる点は、図１、図２に示すように、湯連通機構３１、水連通機構６０のいずれにおいても連接管を不要とする点だけである。
【００４０】
すなわち、アジャスター３４ａは直接胴部１に取り付けられる。この場合も、第３ねじ部１５ｂおよび第２ねじ部１２ｂ間のピッチＢは例えば１０２ｍｍであるが、±１．５ｍｍ程度の公差があり、そのため微調整が必要であるが、これは、環状つまみ４８ａを回動操作することで行える。
【００４１】
また、栓棒２９ａを回動させることで環状パッキン（弁体）４０ａを弁座に当接させることができる。すなわち、この発明では、栓棒２９ａをＺ方向に微調節できるので、異なる高さの弁座に対応できる。
【００４２】
【発明の効果】
以上のように本願の請求項１にかかる発明では、従来大きなピッチを有するタイプのツーバルブ混合栓の混合栓本体にしか適用できず、小さなピッチを有するタイプの混合栓本体には適用できないといった問題を解消できる。すなわち、異なるピッチを有するタイプの混合栓本体に適用できる上に、ピッチの公差の微調整が可能であるので、各メーカーの混合栓本体に対応できる。
【００４３】
また、本願の請求項２にかかる発明では、湯側の弁座と第２ねじ部の上端間および水側の弁座と第３ねじ部の上端間の高さに適合する高さに各栓棒をそれぞれ微調整するための栓棒微調整手段とを備えているので、異なる高さのタイプの混合栓本体に適用できる。
【００４４】
更に、本願の請求項３にかかる発明では、第２ねじ部および第３ねじ部の異なるタイプのねじに対応可能なアダプターを設けているので、例えば雌ねじタイプの第２，３ねじ部にも適用可能となる。また、胴部を第１ねじ部に取り付けるため前記第１ねじ部の異なる外径に対応可能なアダプターを設けているので、例えば外径が小径の第１ねじ部にも適用可能となる。
【００４５】
よって、上記各発明は、異なるタイプのツーバルブ混合栓の混合栓本体に適用可能で、汎用性を有する。
【図面の簡単な説明】
【図１】  この発明が適用されるツーバルブ混合栓の混合栓本体およびシングルレバー混合栓の取り付け手順を説明するための全体斜視図である。
【図２】  この発明の複数の適用例を示す構成説明図である。
【図３】  この発明における異なる外径それぞれの第１ねじ部に胴部を介してシングルレバー混合栓を上方から嵌め込むときの手順を示す構成説明図である。
【図４】  この発明における湯連通機構を異なるタイプの混合栓本体に採用した場合を示す構成説明図である。
【図５】  この発明の第１の実施形態を示す分解斜視図である。
【図６】  上記実施形態におけるシングルレバー混合栓の取り付け状態を示す構成説明図である。
【図７】  この発明で用いた化粧カバーを示す構成説明図である。
【図８】  （Ａ）は前記化粧カバーを構成する一方のカバー体を示す平面図である。
（Ｂ）は前記化粧カバーを構成する一方のカバー体の内部構成を示す側面図である。
【図９】  （Ａ）は前記化粧カバーを構成する一方のカバー体と他方のカバー体との係合部分を示す構成説明図である。
（Ｂ）は前記両カバー体の係合部分より上側の結合状態を説明するための図である。
（Ｃ）は前記両カバー体の係合手順を示す図である。
【符号の説明】
１…シングルレバー混合栓の胴部、２…湯供給穴、３…水供給穴、４…弁機構、８，１１，１４…連通穴、９，１９ａ…第１ねじ部、１０…湯接続部材、１２，１２ａ，１２ｂ…第２ねじ部、１３…水接続部材、１５，１５ａ，１５ｂ…第３ねじ部、２０…取付ナット、２３，６６…アダプター、２９，２９ａ…栓棒、３０ａ，３０ｂ…弁座、３１…湯連通機構、３２…割りリング、３３，３３ａ…エルボ、３３ｂ…下流部、３４，３４ａ…アジャスター、３５，３５ａ…連接管、４０…環状パッキン、４１…六角溝、４２…中央孔、４７，５５…中央貫通孔、４８，４８ａ…環状つまみ、４９…環状溝、５０，５０ａ…Ｏリング、５１，５９…雄ねじ、５２…ビス、５３…孔、５６，５８…雌ねじ、５７，５７ａ…入口、６０…水連通機構、６１…化粧カバー、７３…止めねじ、７４…ねじ孔、９３…袋ナット、１００，２００，３００…ツーバルブ混合栓の混合栓本体、ｈ…雄ねじ、ｉ…雌ねじ、Ｖ…シングルレバー混合栓、Ａ，Ｂ…第２，３ねじ部間のピッチ。
【図１】
0003947334.tif 000002
【図２】
0003947334.tif 000003
【図３】
0003947334.tif 000004
【図４】
0003947334.tif 000005
【図５】
0003947334.tif 000006
【図６】
0003947334.tif 000007
【図７】
0003947334.tif 000008
【図８】
0003947334.tif 000009
【図９】
0003947334.tif 000010